(57)【要約】【課題】搬器はドラゴン等の疑似形態を有する座席体が配備されているので、利用者は座席体に搭乗することになって、風、外気、空気等の自然環境をそのまま感ずることができ、自然環境を肌で感ずることができ、真に自然環境を有効に利用することができる。【解決手段】河川、湖、森、山等の自然環境の豊かな地域に利用者Ｍを空中搬送するための搬器２を有する空中索道設備１を構築してなり、搬器は水平自転しつつ空中搬送自在に設けられ、搬器はドラゴン等の疑似形態を有する座席体２ａが配備され、かつ、空中索道設備の近傍地上位置に空中搬送される搬器から巨鯨を模した疑似鯨６ａの口部６ｂにボールＢを投げ入れて遊ぶボール投げゲーム等の各種のゲーム設備６が配備されてなる。【選択図】図１
2013046710.tif 000002
【特許請求の範囲】
【請求項１】
河川、湖、森、山等の自然環境の豊かな地域に利用者を空中搬送するための搬器を有する空中索道設備を構築してなり、上記搬器は水平自転しつつ空中搬送自在に設けられ、該搬器はドラゴン等の疑似形態を有する座席体が配備され、かつ、該空中索道設備の近傍地上位置に該空中搬送される搬器から巨鯨を模した疑似鯨の口部にボールを投げ入れて遊ぶボール投げゲーム等の各種のゲーム設備が配備されてなることを特徴とするアミューズメント施設。
【請求項２】
上記搬器は、水平回転する回転縦軸の三等配位置に放射状に三個のアーム部材を水平突設し、該アーム部材に上記ドラゴン等の疑似形態を有する座席体を配備してなることを特徴とする請求項１記載のアミューズメント施設。
【発明の詳細な説明】
【技術分野】
【０００１】
本発明は、河川、湖、森、山等の自然環境を有効に活用したアミューズメント施設に関するものである。
【背景技術】
【０００２】
従来、この種のアミューズメント施設として、人工的に作られた施設に各種の乗物設備等を配備した構造のものが知られている。
【先行技術文献】
【特許文献】
【０００３】
【特許文献１】特開２００２−９６１
【発明の概要】
【発明が解決しようとする課題】
【０００４】
しかしながらこのような従来構造の場合、各種の乗物設備等はあくまで人工的に作られたものであり、河川、湖、森、山等の豊かな自然環境そのものを活用したものではないから、真にワンダーランド化したアミューズメント施設とはいえず、また、利用者を空中搬送するためのゴンドラを有する空中索道設備は知られているが、ゴンドラは複数の利用者が閉じ込められた状態となり、利用者はゴンドラの窓越に自然環境を感ずることになり、それだけ、自然環境を肌で感ずることができず、真に自然環境を有効に利用したものではないことがあるという不都合を有している。
【課題を解決するための手段】
【０００５】
本発明はこのような不都合を解決することを目的とするもので、本発明のうちで、請求項１記載の発明は、河川、湖、森、山等の自然環境の豊かな地域に利用者を空中搬送するための搬器を有する空中索道設備を構築してなり、上記搬器は水平自転しつつ空中搬送自在に設けられ、該搬器はドラゴン等の疑似形態を有する座席体が配備され、かつ、該空中索道設備の近傍地上位置に該空中搬送される搬器から巨鯨を模した疑似鯨の口部にボールを投げ入れて遊ぶボール投げゲーム等の各種のゲーム設備が配備されてなることを特徴とするアミューズメント施設にある。
【０００６】
又、請求項２記載の発明は、上記搬器は、水平回転する回転縦軸の三等配位置に放射状に三個のアーム部材を水平突設し、該アーム部材に上記ドラゴン等の疑似形態を有する座席体を配備してなることを特徴とするものである。
【発明の効果】
【０００７】
本発明は上述の如く、請求項１記載の発明にあっては、河川、湖、森、山等の自然環境の豊かな地域に空中索道設備を構築され、空中索道設備には利用者を空中搬送するための搬器が設けられ、このため、あくまで人工的に作られたものではなく、河川、湖、森、山等の豊かな自然環境、そのものを活用した真にワンダーランド化したアミューズメント施設を得ることができ、かつ、搬器は水平自転しつつ空中搬送自在に設けられているので、利用者は空中搬送されつつ周囲の自然環境をくまなく眺望することができ、さらに、搬器はドラゴン等の疑似形態を有する座席体が配備されているので、利用者は座席体に搭乗することになって、風、外気、空気等の自然環境をそのまま感ずることができ、自然環境を肌で感ずることができ、真に自然環境を有効に利用することができ、さらには、空中索道設備の近傍地上位置に空中搬送される搬器から巨鯨を模した疑似鯨の口部にボールを投げ入れて遊ぶボール投げゲーム等の各種のゲーム設備が配備されているから、ゲーム設備により娯楽ゲームの楽しみを味わうことができ、これら自然環境地形、空中索道設備及びゲーム設備の相乗効果により真にワンダーランド化したアミューズメント施設を提供することができる。
【０００８】
又、請求項２記載の発明にあっては、上記搬器は、水平回転する回転縦軸の三等配位置に放射状に三個のアーム部材を水平突設し、アーム部材に上記ドラゴン等の疑似形態を有する座席体を配備してなるから、空中索道設備を利用して得られる河川、湖、森、山等の豊かな自然環境の地形がもたらす自然体験と座席体に搭乗する利用者が回転縦軸軸線を中心として水平回転との相乗効果により大型遊戯施設や大規模テーマパークでは味わえなかったような真にワンダーランド化したアミューズメント施設を得ることができる。
【図面の簡単な説明】
【０００９】
【図１】本発明の実施の形態例の概略説明側面図である。
【図２】本発明の実施の形態例の拡大部分説明斜視図である。
【発明を実施するための形態】
【００１０】
図１、図２は本発明の実施の形態例を示し、１は空中索道設備であって、河川、湖、森、山等の自然環境の豊かな地域に構築されており、利用者を空中搬送するための搬器２を具備している。
【００１１】
３は地上乗降施設であって、上記空中索道設備１の構築部分とされ、地上乗降施設３と架橋４との間に、この場合、支索や曳索等の索条５を掛渡してなり、上記搬器２を索条５により間隔を置いて吊下状又は立上状にして空中搬送されるように構成している。
【００１２】
又、この場合、上記複数個の搬器２は図示省略の駆動機構により水平自転しつつ空中搬送自在に設けられている。
【００１３】
この場合、上記搬器２はドラゴン等の疑似形態を有する座席体２ａが配備され、座席体２ａに利用者Ｍが搭乗し、更に、この場合、上記搬器２は、水平回転する回転縦軸２ｂの三等配位置に放射状に三個のアーム部材２ｃ・２ｃ・２ｃを水平突設し、アーム部材２ｃ・２ｃ・２ｃに上記ドラゴン等の疑似形態を有する座席体２ａを配備して構成され、上記搬器２は回転縦軸２ｂの軸線Ｏを中心として水平回転Ｒすることになる。
【００１４】
又、この場合、上記空中索道設備１の近傍地上位置に巨鯨を模した疑似鯨６ａの口部６ｂが想像線のように持ち上げられ、持ち上げられた口部６ｂにボールＢを投げ入れて遊ぶボール投げゲーム等の各種のゲーム設備６が配備されている。
【００１５】
この実施の形態例は上記構成であるから、河川、湖、森、山等の自然環境の豊かな地域に空中索道設備１を構築され、空中索道設備１には利用者を空中搬送するための搬器２が設けられ、このため、あくまで人工的に作られたものではなく、河川、湖、森、山等の豊かな自然環境、そのものを活用した真にワンダーランド化したアミューズメント施設を得ることができ、かつ、搬器２は水平自転しつつ空中搬送自在に設けられているので、利用者Ｍは空中搬送されつつ周囲の自然環境をくまなく眺望することができ、さらに、搬器２はドラゴン等の疑似形態を有する座席体２ａが配備されているので、利用者Ｍは座席体２ａに搭乗することになって、風、外気、空気等の自然環境をそのまま感ずることができ、自然環境を肌で感ずることができ、真に自然環境を有効に利用することができ、さらには、空中索道設備１の近傍地上位置に空中搬送される搬器２から巨鯨を模した疑似鯨６ａの口部６ｂにボールＢを投げ入れて遊ぶボール投げゲーム等の各種のゲーム設備６が配備されているから、ゲーム設備６により娯楽ゲームの楽しみを味わうことができ、これら自然環境地形、空中索道設備１及びゲーム設備６の相乗効果により、真にワンダーランド化したアミューズメント施設を提供することができる。
【００１６】
この場合、上記搬器２は、水平回転Ｒする回転縦軸２ｂの三等配位置に放射状に三個のアーム部材２ｃ・２ｃ・２ｃを水平突設し、アーム部材２ｃ・２ｃ・２ｃに上記ドラゴン等の疑似形態を有する座席体２ａを配備してなるから、空中索道設備１を利用して得られる河川、湖、森、山等の豊かな自然環境の地形がもたらす自然体験と座席体２ａに搭乗する利用者Ｍが回転縦軸２ｂ軸線を中心として水平回転Ｒとの相乗効果により大型遊戯施設や大規模テーマパークでは味わえなかったような真にワンダーランド化したアミューズメント施設を得ることができる。
【００１７】
尚、本発明は上記実施の形態例に限られるものではなく、空中索道設備１、搬器２、ゲーム設備６の構造や形態等は適宜変更して設計されるものである。
【００１８】
以上、所期の目的を充分達成することができる。
【符号の説明】
【００１９】
Ｒ    水平回転
Ｂ    ボール
１    空中索道設備
２    搬器
２ａ    座席体
２ｂ    回転縦軸
２ｃ    アーム部材
６    ゲーム設備
６ａ    疑似鯨
６ｂ    口部
【図１】
2013046710.tif 000003
【図２】
2013046710.tif 000004